(57)【要約】【課題】より広い内部空間が実現されるとともに、回転フォークリフトを用いて、その内部空間に貯留した被貯留物の排出を良好に行うことが可能な回転フォークリフト用コンテナを提供する。【解決手段】回転フォークリフトのフォーク１０を挿入し得るフォークリフト受け部６を有する底板２と、底板２に対して略垂直に配設された側板３と有する箱状のコンテナ本体７を備えた回転フォークリフト用コンテナ１であって、側板３が、コンテナ本体７の開口部４近傍において、底板２に水平な面で切断した内部空間５の断面の面積が底板２側から開口部４側に向けて漸減するように、内部空間５側の表面に傾斜８を有するように構成されてなり、フォークリフト受け部６に回転フォークリフトのフォーク１０を挿入してコンテナ本体７を回転させることにより、その内部に貯留した被貯留物を排出することが可能な回転フォークリフト用コンテナ１。【選択図】図１
0003108163.tif 000002
【実用新案登録請求の範囲】
【請求項１】
回転フォークリフトのフォークを挿入し得るフォークリフト受け部を有する底板と、前記底板に対して略垂直に配設された側板と有し、前記底板に対向する側が開口部となり、その内部に被貯留物を貯留し得る内部空間が形成された、箱状のコンテナ本体を備えた回転フォークリフト用コンテナであって、
前記コンテナ本体を構成する前記側板が、前記コンテナ本体の前記開口部近傍において、前記底板に水平な面で切断した前記内部空間の断面の面積が前記底板側から前記開口部側に向けて漸減するように、前記内部空間側の表面に傾斜を有するように構成されてなり、
前記フォークリフト受け部に回転フォークリフトのフォークを挿入して前記コンテナ本体を回転させることにより、その内部に貯留した被貯留物を排出することが可能な回転フォークリフト用コンテナ。
【請求項２】
前記側板が、前記開口部側の端部を前記内部空間側に折り曲げることによって前記傾斜が形成されたものである請求項１に記載の回転フォークリフト用コンテナ。
【請求項３】
前記側板が、前記開口部側の端部に前記傾斜を形成するための傾斜形成用部材が配設されたものである請求項１に記載の回転フォークリフト用コンテナ。
【請求項４】
前記側板の前記傾斜が、前記底板に垂直な平面に対して１０〜７０度の角度をなすものである請求項１〜３にいずれかに記載の回転フォークリフト用コンテナ。
【請求項５】
前記コンテナ本体を構成する前記底板と前記側板とが、溶接又はボルトによって接続された請求項１〜４のいずれかに記載の回転フォークリフト用コンテナ。
【請求項６】
前記コンテナ本体を構成する前記側板が、２〜１６枚の板状部材から構成されたものである請求項１〜５のいずれかに記載の回転フォークリフト用コンテナ。
【請求項７】
一の前記回転フォークリフト用コンテナが、他の前記回転フォークリフト用コンテナの前記コンテナ本体の前記開口部に積み重ねて配設することが可能なものであり、
一の前記回転フォークリフト用コンテナの前記コンテナ本体を構成する前記底板の外側の表面に、他の前記回転フォークリフト用コンテナの前記コンテナ本体の前記開口部に配設した際の滑り防止用の突起部を有する請求項１〜６のいずれかに記載の回転フォークリフト用コンテナ。
【考案の詳細な説明】
【技術分野】
【０００１】
本考案は、回転フォークリフト用コンテナに関する。さらに詳しくは、より広い内部空間が実現されるとともに、回転フォークリフトを用いて、その内部空間に貯留した被貯留物の排出を良好に行うことが可能な回転フォークリフト用コンテナに関する。
【背景技術】
【０００２】
従来、収穫した米、麦、豆等の穀類やその他の被貯留物を一時貯蔵するための容器として、例えば、底板と側板とを備え、その内部に被貯留物等を貯留し得る空間が形成されたコンテナが用いられている。
【０００３】
このようなコンテナとしては、例えば、図６に示すように、底板３１と側板３２と備え、底板３１に対向する側に開口部が形成されたコンテナ３０や、図７に示すように、底板３５と側板３６と備え、底板３５が水平面に対して斜めに設置されるとともに、底板３５の一番低くなる位置に排出口３７が配設されてなり、この排出口３７から被貯留物を排出することが可能なコンテナ３４等が用いられている。
【考案の開示】
【考案が解決しようとする課題】
【０００４】
しかしながら、図６に示すコンテナ３０においては、全体に歪み等が生じないように、その開口部の周縁部分に補強用の枠組み３３が配設されており、例えば、回転フォークリフト等を用いてコンテナ３０を回転させて被貯留物を取り出す場合に、アングル等の補強用の枠組み３３によって被貯留物の排出が妨害されて、その内部に被貯留物が残留し、完全な排出を行うことができないという問題があった。
【０００５】
また、図７に示すようなコンテナ３４においては、底板３５が斜めに設置されていることから、斜めになった部分に対応する量の内容積が小さくなり、製作コストが高くなることや貯留スペースが余分に掛かるという問題があった。
【０００６】
本考案は、上述した問題に鑑みてなされたものであり、より広い内部空間が実現されるとともに、回転フォークリフトを用いて、その内部空間に貯留した被貯留物の排出を良好に行うことが可能な回転フォークリフト用コンテナを提供する。
【課題を解決するための手段】
【０００７】
本考案は、以下の回転フォークリフト用コンテナを提供する。
【０００８】
［１］回転フォークリフトのフォークを挿入し得るフォークリフト受け部を有する底板と、前記底板に対して略垂直に配設された側板と有し、前記底板に対向する側が開口部となり、その内部に被貯留物を貯留し得る内部空間が形成された、箱状のコンテナ本体を備えた回転フォークリフト用コンテナであって、前記コンテナ本体を構成する前記側板が、前記コンテナ本体の前記開口部近傍において、前記底板に水平な面で切断した前記内部空間の断面の面積が前記底板側から前記開口部側に向けて漸減するように、前記内部空間側の表面に傾斜を有するように構成されてなり、前記フォークリフト受け部に回転フォークリフトのフォークを挿入して前記コンテナ本体を回転させることにより、その内部に貯留した被貯留物を排出することが可能な回転フォークリフト用コンテナ。
【０００９】
［２］前記側板が、前記開口部側の端部を前記内部空間側に折り曲げることによって前記傾斜が形成されたものである前記［１］に記載の回転フォークリフト用コンテナ。
【００１０】
［３］前記側板が、前記開口部側の端部に前記傾斜を形成するための傾斜形成用部材が配設されたものである前記［１］に記載の回転フォークリフト用コンテナ。
【００１１】
［４］前記側板の前記傾斜が、前記底板に垂直な平面に対して１０〜７０度の角度をなすものである前記［１］〜［３］にいずれかに記載の回転フォークリフト用コンテナ。
【００１２】
［５］前記コンテナ本体を構成する前記底板と前記側板とが、溶接又はボルトによって接続された前記［１］〜［４］のいずれかに記載の回転フォークリフト用コンテナ。
【００１３】
［６］前記コンテナ本体を構成する前記側板が、２〜１６枚の板状部材から構成されたものである前記［１］〜［５］のいずれかに記載の回転フォークリフト用コンテナ。
【００１４】
［７］一の前記回転フォークリフト用コンテナが、他の前記回転フォークリフト用コンテナの前記コンテナ本体の前記開口部に積み重ねて配設することが可能なものであり、一の前記回転フォークリフト用コンテナの前記コンテナ本体を構成する前記底板の外側の表面に、他の前記回転フォークリフト用コンテナの前記コンテナ本体の前記開口部に配設した際の滑り防止用の突起部を有する前記［１］〜［６］のいずれかに記載の回転フォークリフト用コンテナ。
【考案の効果】
【００１５】
本考案の回転フォークリフト用コンテナは、コンテナ本体を構成する側板が、コンテナ本体の開口部近傍において、底板に水平な面で切断した内部空間の断面の面積が底板側から開口部側に向けて漸減するように、内部空間側の表面に傾斜を有するように構成されていることから、より広い内部空間が実現されるとともに、回転フォークリフトを用いて、その内部空間に貯留した被貯留物の排出を良好に行うことができる。また、被貯留物を完全に排出することができるだけでなく、本考案の回転フォークリフト用コンテナにおいては、その開口部側の上縁部が補強されることとなるため、複数の回転フォークリフト用コンテナを積み重ねた場合の変形を有効に防止することができる。
【考案を実施するための最良の形態】
【００１６】
以下、本考案の回転フォークリフト用コンテナの実施の形態を、図面を参照しながら詳細に説明するが、本考案は、これに限定されて解釈されるものではなく、本考案の範囲を逸脱しない限りにおいて、当業者の知識に基づいて、種々の変更、修正、改良を加え得るものである。
【００１７】
図１は、本考案の回転フォークリフト用コンテナの一の実施の形態を模式的に示す斜視図であり、図２は、図１に示す回転フォークリフト用コンテナを底板に垂直に切断した断面を示す断面図である。図１及び図２に示すように、本実施の形態の回転フォークリフト用コンテナ１は、回転フォークリフトのフォーク１０を挿入し得るフォークリフト受け部６を有する底板２と、底板２に対して略垂直に配設された側板３と有し、底板２に対向する側が開口部４となり、その内部に被貯留物を貯留し得る内部空間５が形成された、箱状のコンテナ本体７を備えた回転フォークリフト用コンテナ１であって、コンテナ本体７を構成する側板３が、コンテナ本体７の開口部４近傍において、底板２に水平な面で切断した内部空間５の断面の面積が底板２側から開口部４側に向けて漸減するように、内部空間５側の表面（内側面）に傾斜８を有するように構成されてなり、フォークリフト受け部６に回転フォークリフトのフォーク１０を挿入してコンテナ本体７を回転させることにより、その内部に貯留した被貯留物を排出することが可能なものである。
【００１８】
本実施の形態の回転フォークリフト用コンテナ１は、底板２と側板３とによって囲われる空間が略全て内部空間５となることから、広い内部空間５が実現される。
【００１９】
また、上述したように、コンテナ本体７を構成する側板３が、コンテナ本体７の開口部４近傍において、底板２に水平な面で切断した内部空間５の断面の面積が底板２側から開口部４側に向けて漸減するように、内部空間５側の表面（内側面）に傾斜８を有するように構成されていることから、従来のコンテナ３０（図６参照）のようにアングル等の補強用の枠組み３３（図６参照）を用いなくとも、機械的強度を向上させることが可能となり、開口部等の歪みを有効に防止することができる。さらに、回転フォークリフトを用いて、コンテナ本体７を回転させて開口部４から被貯留物を排出する場合に、内部空間を形成する内側面に段差がなく、開口部４近傍は傾斜８を有していることから、被貯留物の内部空間への残留を防止し、良好に排出を行うことができる。
【００２０】
フォークリフト受け部６は、回転フォークリフトのフォーク１０を挿入し、このフォーク１０を引き上げることにより、回転フォークリフト用コンテナ１全体を持ち上げて自由に移動させるためのものである。なお、本実施の形態の回転フォークリフト用コンテナ１においては、回転フォークリフトを用いてコンテナ本体７を回転させて、その内部空間５に貯留した被貯留物を排出させるものであることから、例えば、回転フォークリフトのフォーク１０を１８０度回転させた場合でも、フォークリフト受け部６からフォーク１０が外れないように、フォークリフト受け部６が中空筒状の形状であることが好ましい。
【００２１】
図１及び図２に示す回転フォークリフト用コンテナ１は、側板３が、開口部４側の端部を内部空間５側に折り曲げることによって傾斜８が形成されたものであるが、例えば、図３に示すように、側板３が、開口部４側の端部に傾斜８を形成するための傾斜形成用部材９が配設されたものであってもよい。ここで、図３は、本考案の回転フォークリフト用コンテナの他の実施の形態を、底板に垂直に切断した断面を示す断面図である。なお、図３に示す回転フォークリフト用コンテナ１１においては、側板３が、開口部４側の端部に傾斜８を形成するための傾斜形成用部材９が配設されたものであること以外の構成については、図１及び図２に示す回転フォークリフト用コンテナ１と同様に構成されている。
【００２２】
傾斜形成用部材９は、例えば、側板３と同様の材料から構成された板状の部材を、所定の傾斜８を形成することができる形状に折り曲げ加工したものを好適に用いることができる。なお、傾斜形成用部材９を側板３の開口部４側の端部に配設する場合には、溶接やボルト等によって接合することが好ましい。
【００２３】
また、図２に示す回転フォークリフト用コンテナ１における、折り曲げられた側板３の先端部分や、図３に示す回転フォークリフト用コンテナ１１における、傾斜形成用部材９と側板３とが接する部分については、側板３との間に隙間ができないように溶接によって接合することが好ましい。
【００２４】
また、図１に示すような本実施の形態の回転フォークリフト用コンテナ１においては、側板３の傾斜８が、底板２に垂直な平面に対して１０〜７０度の角度をなすものであることが好ましい。このように構成することによって、被貯留物の排出がより良好に行われる。特に、被貯留物が、米、麦、豆等の穀類や、小麦粉や砂糖等の粉粒体であっても、内部空間５に被貯留物が残留せずに、完全な排出を行うことができる。
【００２５】
また、本実施の形態の回転フォークリフト用コンテナ１においては、コンテナ本体７を構成する底板２と側板３とは、溶接又はボルトによって接合されたものであることが好ましいが、図４に示すように、底板２と側板３とがボルトによって取り外し可能に接合されたものであってもよい。また、コンテナ本体７（図１参照）を構成する側板３が、２〜１６枚の板状部材から構成されたものであることが好ましい。このように構成することによって、コンテナ本体７（図１参照）の内部清掃等のメンテナンスが容易になるとともに、コンテナを使用しない場合には、底板２と側板３とを分離して保管するができるために省スペース化を実現することができる。なお、図４に示す回転フォークリフト用コンテナ１においては、側板３は、一方の対向する辺において、それぞれ３枚の板状部材から構成され、他方の対向する辺において、それぞれ１枚の板状部材から構成されており、合計で８枚の板状部材から構成されている。
【００２６】
なお、本実施の形態の回転フォークリフト用コンテナ１においては、図２及び図４に示すように、底板２の外周部分を垂直に折り曲げたものとし、この底板２の垂直に折り曲げた内側に対応する側板３を配設して、被貯留物を貯留するための内部空間５（図１参照）が形成されたものであることが好ましい。底板２の折り曲げた部分と側板３とは、溶接やボルト等によって接合することができる。このように構成することによって、底板２と側板３との接合を簡便に行うことができるとともに、側板３の底板２側が補強されるため機械的強度が向上する。なお、底板２を折り曲げる際には、２０〜１５０ｍｍ程度折り曲げることが好ましい。
【００２７】
また、本実施の形態の回転フォークリフト用コンテナ１においては、図５に示すように、一の回転フォークリフト用コンテナ１が、他の回転フォークリフト用コンテナ２１のコンテナ本体２７の開口部２４に積み重ねて配設することが可能なものであり、一の回転フォークリフト用コンテナ１のコンテナ本体７を構成する底板２の外側の表面に、他の回転フォークリフト用コンテナのコンテナ本体２７の開口部２４に配設した際の滑り防止用の突起部１２を有することが好ましい。このように構成することによって、複数の回転フォークリフト用コンテナ１，２１を安全に積み重ねて配設することが可能となり、さらに省スペース化を実現することができる。滑り防止用の突起部１２は、対応するコンテナ本体２７の開口部２４の大きさに対応した、金属製、ゴム製、樹脂製等の突起が形成されたものを好適に用いることができる。このような滑り防止用の突起部１２は、下側となるコンテナ本体２７の開口部２４の縁に引っ掛かり、上側の回転フォークリフト用コンテナ１の滑りを防止する。なお、図５においては、二つの回転フォークリフト用コンテナ１，２１を積み重ねて配設した場合を示しているが、三つ以上の回転フォークリフト用コンテナを積み重ねて配設することも可能である。
【００２８】
なお、本実施の形態の回転フォークリフト用コンテナ１に用いられる底板２及び側板３の材質については特に制限はないが、例えば、被貯留物が穀物等の粉粒体である場合には、鉄鋼やステンレス等の板状の金属材料を好適に用いることができる。
【実施例】
【００２９】
以下、本考案を実施例により具体的に説明するが、本考案はこれに限定されるものではない。
【００３０】
回転フォークリフトのフォークを挿入し得るフォークリフト受け部を有する鋼鉄製の底板と、この底板に対して略垂直に配設された鋼鉄製の側板とを有する箱状のコンテナ本体を備えた回転フォークリフト用コンテナを製造した。コンテナ本体の大きさは、底面は２０００ｍｍ×１５００ｍｍで、高さが１３６０ｍｍである。
【００３１】
本実施例の回転フォークリフト用コンテナにおいては、コンテナ本体を構成する側板が、コンテナ本体の開口部近傍において、底板に水平な面で切断した内部空間の断面の面積が底板側から開口部側に向けて漸減するように、内部空間側の表面に傾斜を有するように構成されてなるものである。この傾斜は、側板の開口部側の端部をコンテナ本体の内部空間側に折り曲げて形成した。
【００３２】
本実施例の回転フォークリフト用コンテナに小麦３ｔを貯留した後、回転フォークリフトのフォークをフォークリフト受け部に挿入し、この回転フォークリフト用コンテナを回転させることができる高さまで持ち上げた。
【００３３】
この状態から、回転フォークリフトのフォークを徐々に回転させて、コンテナ本体の開口部から被貯留物である小麦を排出した。回転フォークリフトのフォークを１８０度回転させた時点で排出終了とし、フォークを逆回転させて元の位置まで戻した。この操作を終了した時点において、コンテナ本体の内部空間に小麦の残留は確認されず、被貯留物である小麦を完全に排出することができた。
【産業上の利用可能性】
【００３４】
以上説明したように、本考案の回転フォークリフト用コンテナは、より広い内部空間が実現されるとともに、回転フォークリフトを用いて、その内部空間に貯留した被貯留物の排出を良好に行うことができる。特に、従来のコンテナに穀類等を貯留し、回転フォークリフトで回転させて排出した場合には、コンテナの開口部に配設されたアングル等の補強材によって、完全（残量ゼロ）に排出を行うことが困難であったが、本考案の回転フォークリフト用コンテナは、内側面の傾斜によって完全な排出を行うことが可能であり、例えば、穀類等の粒体を貯留するための回転フォークリフト用コンテナとして好適に用いることができる。
【図面の簡単な説明】
【００３５】
【図１】本考案の回転フォークリフト用コンテナの一の実施の形態を模式的に示す斜視図である。
【図２】図１に示す回転フォークリフト用コンテナを底板に垂直に切断した断面を示す断面図である。
【図３】本考案の回転フォークリフト用コンテナの他の実施の形態を、底板に垂直に切断した断面を示す断面図である。
【図４】底板と側板とが取り外し可能な回転フォークリフト用コンテナを模式的に示す斜視図である。
【図５】一の回転フォークリフト用コンテナを、他の回転フォークリフト用コンテナのコンテナ本体の開口部に積み重ねて配設した状態を模式的に示す断面図である。
【図６】従来のコンテナの一例を模式的に示す斜視図である。
【図７】従来のコンテナの他の例を模式的に示す平面図である。
【符号の説明】
【００３６】
１…回転フォークリフト用コンテナ、２…底板、３…側板、４…開口部、５…内部空間、６…フォークリフト受け部、７…コンテナ本体、８…傾斜、９…傾斜形成用部材、１０…回転フォークリフトのフォーク（フォーク）、１１…回転フォークリフト用コンテナ、１２…滑り防止用の突起部、３０，３４…コンテナ、３１，３５…底板、３２，３６…側板、３３…枠組み、３７…排出口。
【図１】
0003108163.tif 000003
【図２】
0003108163.tif 000004
【図３】
0003108163.tif 000005
【図４】
0003108163.tif 000006
【図５】
0003108163.tif 000007
【図６】
0003108163.tif 000008
【図７】
0003108163.tif 000009